(57)【要約】【課題】この発明は、頭部に装着した状態で温水または冷水を満たすことにより、頭皮の毛穴を広げ毛根の油を取り除いたり、頭皮の血行を促進し新陳代謝を高めることができるようにした脱毛予防発毛促進頭部入浴キャップに関するものである。【解決手段】キャップ本体（１）の開口下部に、保持体（２）を設けた脱毛予防発毛促進頭部入浴キャップ。【選択図】  図３
2005034169.tif 000002
【特許請求の範囲】
【請求項１】
キャップ本体（１）の開口下部に、保持体（２）を設けた脱毛予防発毛促進頭部入浴キャップ。
【発明の詳細な説明】
【０００１】
【発明の属する技術分野】
この発明は、頭部に装着した状態で温水または冷水を満たすことにより、頭皮の毛穴を広げ毛根の油を取り除いたり、頭皮の血行を促進し新陳代謝を高めることができるようにした脱毛予防発毛促進頭部入浴キャップに関するものである。
【０００２】
【従来の技術】
従来、自分自身で頭部を洗う場合、入浴と同時に行うことが多く、頭部に浴槽やシャワーなどの温水を適量かけて濡らしシャンプーや石鹸などを使用して洗い、その後同様に温水などをかけてシャンプーや石鹸などを流していた。
【０００３】
また、硬性の器の内側に温水のはいるふくろを付け頭皮をあたためる温水器がある。（特許文献１参照）。
【０００４】
【特許文献１】特開平１０−１４９６８号公報
【０００５】
【発明が解決しようとする課題】
そのために次のような問題点があった。
首から下の部分は湯舟につかり温めることはできるが、頭部まで湯舟につかることができず首から下の部分の毛穴は開いても頭部の毛穴は開きづらかった。
【０００６】
そして、毛穴が開かない状態で頭部を洗っているため、毛穴にたまった油や老廃物を落としきれず、きれいに洗ったつもりでも油や老廃物がのこり、育毛の阻害や毛髪脱落の助長をしており、さらに加齢臭などの悪臭の原因にもなっている。
【０００７】
さらに、流水すすぎのため頭皮表面のシャンプーやトリートメント剤は洗い流せたが、毛穴に付着したシャンプーやトリートメント剤が残留し育毛の阻害や毛髪脱落の原因をつくっていた。
【０００８】
また、特許文献１は温水をふくろに入れて使用するため、頭皮を温めるのみで温水が直接頭皮にふれないので油を溶かす作用やふやかす作用がなく、ふくろの温水の温度が下がったときに温水の入れ替えや使用後の管理がめんどうである。
本発明は以上の問題点を解決するためになされたものである。
【０００９】
【課題を解決するための手段】
キャップ本体（１）の開口下部に、保持体（２）を設ける。
以上の構成からなる脱毛予防発毛促進頭部入浴キャップである。
【００１０】
【発明の実施形態】
以下、本発明の実施の形態について説明する。
ウエットスーツに使用するような弾力性があり水を通さない素材を使用し円筒状のキャップ本体（１）の開口下部の外周部分に保持体（２）を設ける。なお、キャップ本体（１）は弾力性があり水を通さない素材ならどんなものでもよい。
【００１１】
なお、保持体（２）については次の手段がある。図３に示したように保持体（２）に収縮性帯状部材を使用し、収縮性帯状部材に面ファスナー（３）を設ける。面ファスナー（３）の設置箇所は、キャップ本体の頭部への圧着状態を調節できるようにするため、面ファスナー（３）のどちらか一方を保持体（２）の伸縮可能領域全体に設ける。
【００１２】
また、図８のように紐状部材を使用し紐状部材を縛る方法や、図９のように帯状部材に調整部材（９）を設け着脱部材オス（７）と着脱部材メス（８）を連結する方法や、図１０のようにキャップ本体（１）の開口下部の外周をキャップ本体の外周より小さくし、その部分に収縮性円筒状部材を設けキャップ本体を保持する方法や、図１１のようにキャップ本体（１）より収縮率の高い収縮性円筒状部材を使用しキャップ本体（１）と保持体（２）を一体化する方法がある。なお、保持体はキャップ本体（１）を人頭部（Ｈ）に固定することができ留水部（Ｗ）の水が漏れないものであれば他の方法でもよい。
【００１３】
また、保持体（２）は使用上の利便性の向上のためキャップ本体（１）と接着部（５）にて固定されているが、キャップ本体（１）と保持体（２）は接着部（５）をもたず分離された構造でもよい。
本発明は、以上の構成でこれを使用するときは以下のような形態で使用する。
【００１４】
（第１実施形態）図３のように頭頂部がキャップ本体（１）に抵触しないようにかぶり、保持体（２）をしめつけキャップ本体と頭部を密着させる。このときキャップ本体（１）に弾力性素材を使用するため、保持体（２）を強く締め付けることにより留水部（Ｗ）の温水や冷水が漏れづらくなる。
【００１５】
その後、湯舟につかりながらシャワー（Ｓ）や洗面器（Ｋ）などによってキャップ本体（１）の留水部（Ｗ）に適量の温水を注入し頭皮を温める。この場合の留水部（Ｗ）の温水の温度は湯舟と同じ温度かそれより若干高めの温度設定が良いが、留水部（Ｗ）の温度には決まった温度は無く使用する個人の任意で決定する。
【００１６】
なお、留水部（Ｗ）の温度が下がった場合、保持体（２）をゆるめるか頭部を傾けることにより温度の下がった留水部（Ｗ）の温水を排出し、再度、保持体（２）を締め直しキャップ本体（１）の留水部（Ｗ）に適量の温水を注入するだけでよい。
【００１７】
キャップ本体（１）の留水部（Ｗ）に適量の温水を注入後、３分から５分程度で頭皮があたたまり毛穴が開いたところで、留水部（Ｗ）の温水を排出し、保持体（２）をゆるめキャップ本体（１）を人頭部（Ｈ）よりはずす。その後、シャンプーや石鹸などを使用し頭部を洗いシャンプーや石鹸などをシャワー（Ｓ）や洗面器（Ｋ）の流水にてすすぐ。
【００１８】
そして、上記と同じ要領にてキャップ本体（１）および保持体（２）を装着し適量の温水を留水部（Ｗ）に注入し毛穴に残留しているシャンプーや石鹸などをすすぐ。この場合、キャップ本体を装着したまま留水部（Ｗ）の温水の中に手を入れ頭皮を指先でもむようにするとなお効果的である。
【００１９】
その後、キャップ本体（１）の留水部（Ｗ）に温水と冷水を交互に注入することにより頭皮の毛細血管が伸縮するため血行促進や新陳代謝を高める効果がある。
【００２０】
さらに、保持体（２）を強く締め付けるため頭皮への血液が一時的に流れづらくなる。そして、保持体（２）をゆるめることにより血液が一気に流れ毛細血管を広げ血行を促進する効果がある。
【００２１】
キャップ本体（１）に乾燥用フック（６）を設けることにより、使用後も簡単に乾燥させることができ清潔に保つことができる。
【００２２】
（第２実施形態）図４は図３のキャップ本体（１）の開口上部を狭めることにより留水部（Ｗ）の温水や冷水が第１実施形態よりこぼれづらいようになっている。使用方法は第１実施形態と同様である。
【００２３】
（第３実施形態）図５はキャップ本体（１）の上部にファスナー（４）を設けることにより頭を傾けても留水部（Ｗ）の温水や冷水がこぼれないようにしている。さらに留水部（Ｗ）の容積を減らすことにより、キャップ本体（１）の満水時の重量を減らし、入浴時に湯舟につかれない場合でも使用することができる。使用方法は留水部（Ｗ）の温水や冷水がこぼれないようにファスナー（４）閉める以外第１実施形態と同様である。
【００２４】
【発明の効果】
以上この発明は、大がかりな装置を必要とせず入浴時に手軽に使用することができるため、生活習慣の一部として育毛促進や脱毛予防をすることができる。
【００２５】
頭を洗う直前に毛穴を最大限に広げることができ、温水が直接頭皮に接触するため毛穴を広げる効果だけではなく、頭皮の油を溶かす作用や老廃物をふやかし浮き上がらせる作用がある。
【００２６】
そして、すすぎ時に使用することにより、脱毛原因の一つである洗浄剤やトリートメント剤などの残留をなくす効果がある。
【００２７】
温水と冷水を交互にキャップ本体（１）の留水部（Ｗ）に注入することにより血行促進や新陳代謝を高める作用がある。さらに、保持体（２）を強く締め付けることにより頭皮への血液が一時的に流れづらくなり、保持体（２）をゆるめることにより血液が一気に流れ毛細血管を広げ血行を促進する効果がある。
【００２８】
【図面の簡単な説明】
【図１】本発明の脱毛予防発毛促進頭部入浴キャップの斜視図
【図２】本発明の脱毛予防発毛促進頭部入浴キャップの断面図
【図３】本発明の第１実施形態の斜視図
【図４】本発明の第２実施形態の斜視図
【図５】本発明の第２実施形態の断面図
【図６】本発明の第３実施形態の斜視図
【図７】本発明の第３実施形態の断面図
【図８】本発明の紐状部材使用の保持体の斜視図
【図９】本発明の着脱部材使用の保持体の斜視図
【図１０】本発明の収縮性円筒状部材使用の保持体の斜視図
【図１１】本発明の収縮性円筒状部材と保持体一体型の保持体の斜視図
【００２９】
【符号の説明】
１  キャップ本体
２  保持体
３  面ファスナー
４  ファスナー
５  接着部
６  乾燥用フック
７  着脱部材オス
８  着脱部材メス
９  調整部材
Ｗ  留水部
Ｈ  人頭部
Ｓ  シャワー
Ｋ  洗面器
【図１】
2005034169.tif 000003
【図２】
2005034169.tif 000004
【図３】
2005034169.tif 000005
【図４】
2005034169.tif 000006
【図５】
2005034169.tif 000007
【図６】
2005034169.tif 000008
【図７】
2005034169.tif 000009
【図８】
2005034169.tif 000010
【図９】
2005034169.tif 000011
【図１０】
2005034169.tif 000012
【図１１】
2005034169.tif 000013